(57)【要約】【課題】  個人情報更新システムの利便性を向上させる。【解決手段】  専用サーバー１は、更新指令を送信した携帯電話３の利用者の個人情報を更新すると、更新指令を送信した携帯電話３が属するグループの携帯電話３のうち、更新指令を送信した携帯電話３を除く他の携帯電話３に対して、更新指令を送信した携帯電話３の利用者の個人情報が更新された内容を通知する。このため、更新指令を送信した携帯電話３の利用者が属するグループの携帯電話３の利用者は、専用サーバー１にアクセスして専用サーバー１のＨＤＤ１ｅに登録された個人情報をいちいち閲覧しなくても、更新指令を送信した携帯電話３の利用者の個人情報が更新されたことを知ることができ、個人情報更新システムの利便性を向上させることができる。【選択図】図１
2008097564.tif 000002
【特許請求の範囲】
【請求項１】
個人情報が記憶された個人情報記憶手段と、
個人情報の更新指令を受けた場合に、その更新指令に基づいて、前記個人情報記憶手段に記憶されている個人情報を更新する個人情報更新手段と、
予め登録された送信先の端末装置に対して、前記個人情報更新手段により更新された個人情報の更新結果を通知する更新結果通知手段と
を備えたことを特徴とする個人情報更新システム。
【請求項２】
前記更新結果通知手段は、前記個人情報更新手段により個人情報が更新された場合に、前記送信先として登録された端末装置に対して、前記個人情報更新手段により更新された個人情報の更新結果を通知することを特徴とする請求項１に記載の個人情報更新システム。
【請求項３】
前記送信先として登録されている端末装置は、前記更新結果通知手段により個人情報の更新結果が通知されたときに、その更新結果を記憶する更新結果記憶手段を備えたことを特徴とする請求項１又は請求項２に記載の個人情報更新システム。
【発明の詳細な説明】
【技術分野】
【０００１】
本発明は、個人情報を記憶媒体に記憶するとともに、その記憶媒体に記憶された個人情報を更新する個人情報更新システムに関する。
【背景技術】
【０００２】
個人情報更新システムとして、例えば特許文献１に記載の発明では、携帯電話のメールアドレスや電話番号等の個人情報にて構築された個人情報データベース（個人情報ＤＢ）がサーバに設けられており、サーバは、利用者から個人情報の更新指令を受けた場合に個人情報ＤＢの個人情報を更新し、利用者から個人情報の閲覧要求を受けた場合には、個人情報ＤＢの個人情報を利用者に対して提供している。
【特許文献１】特開２００３−２０８３８９号公報（第１頁、図１)
【発明の開示】
【発明が解決しようとする課題】
【０００３】
しかし、特許文献１に記載の発明では、更新指令を送信した利用者以外の利用者は、サーバにいちいちアクセスしなければ、更新指令を送信した利用者の個人情報が更新されたことに気付くことができず、個人情報更新システムの利便性を更に向上させる余地がある。
【０００４】
本発明は、上記点に鑑み、個人情報更新システムの利便性を向上させることを目的とする。
【課題を解決するための手段】
【０００５】
本発明は、上記目的を達成するために、請求項１に記載の発明では、個人情報が記憶された個人情報記憶手段と、個人情報の更新指令を受けた場合に、その更新指令に基づいて、個人情報記憶手段に記憶されている個人情報を更新する個人情報更新手段と、予め登録された送信先の端末装置に対して、個人情報更新手段により更新された個人情報の更新結果を通知する更新結果通知手段とを備えたことを特徴とする。
【０００６】
これにより、請求項１に記載の発明では、個人情報が更新された内容（更新結果）が予め登録された送信先の端末装置に対して通知されるので、送信先として登録された端末装置の利用者は、個人情報記憶手段に記憶された個人情報をいちいち閲覧しなくても、個人情報の更新指令を送信した利用者の個人情報が更新されたことを知ることができる。
【０００７】
したがって、特許文献１に記載の発明よりも個人情報更新システムの利便性を向上させることができる。
ところで、更新結果通知手段は、個人情報の更新指令を送信した利用者（端末装置）から更新結果の通知許可指令を受けた場合に、予め登録された送信先の端末装置に対して、個人情報更新手段により更新された個人情報の更新結果を通知するようにしてもよい。
【０００８】
また、更新結果通知手段は、請求項２に記載のように、個人情報更新手段により個人情報が更新された場合に、送信先として登録された端末装置に対して、個人情報更新手段により更新された個人情報の更新結果を通知するようにされていれば、個人情報更新システムの利便性が更に向上する。
【０００９】
また、請求項３に記載の発明では、送信先として登録されている端末装置は、更新結果通知手段により個人情報の更新結果が通知されたときに、その更新結果を記憶する更新結果記憶手段を備えたことを特徴とする。
【００１０】
これによれば、送信先として登録された端末装置は個人情報の更新結果を記憶するので、端末装置の利用者は、更新結果の登録操作を特に実行しなくてもよく、個人情報更新システムの使い勝手を向上させることができる。
【発明を実施するための最良の形態】
【００１１】
本実施形態は、本発明に係る個人情報更新システムを、利用者のメールアドレスや電話番号等の個人情報を管理する個人情報管理システムに適用したものであり、以下に実施形態を図面と共に説明する。
【００１２】
１．個人情報管理システムの全体構成
図１は、本発明に係る個人情報管理システムの概略構成を示す概略構成図であり、図２（ａ）は、専用サーバー１の構成を示す構成図であり、図２（ｂ）は、携帯電話３の構成を示す構成図である。
【００１３】
個人情報管理システムは、図１に示すように、利用者の個人情報を管理する専用サーバー１、及び専用サーバー１に通信可能に接続された携帯電話３等を有して構成されている。
【００１４】
なお、専用サーバー１は、インターネットや公衆電話回線等の外部ネットワーク４に接続されており、携帯電話３は、外部ネットワーク４に接続された基地局５、及び外部ネットワーク４を介して、専用サーバー１に通信可能に接続されている。
【００１５】
専用サーバー１は、利用者が所持する携帯電話３のメールアドレスや電話番号等といった利用者の個人情報を管理するためのものであり、この専用サーバー１は、図２（ａ）に示すように、携帯電話３と専用サーバー１との間で通信を行うための通信回路１ａ、ＣＰＵ１ｂ、ＲＡＭ１ｃ、ＲＯＭ１ｄ、及びＨＤＤ（ハードディスクドライブ）１ｅ等を有して構成されている。
【００１６】
ここで、ＨＤＤ１ｅには、利用者が属するグループ毎に各利用者の個人情報が記憶（登録）されており、利用者の個人情報は、その利用者の識別情報（ＩＤ）、パスワード、利用者の名前、利用者が所持する携帯電話のメールアドレス、及び利用者が所持する携帯電話の電話番号等にて構成されている。
【００１７】
なお、本実施形態では、利用者が個人情報管理システムが提供するサービスに加入する際に、その利用者の個人情報がＨＤＤ１ｅに登録され、利用者は、少なくとも１つのグループを設定するとともにそのグループに属する他の利用者を設定する。
【００１８】
また、本実施形態では、利用者が携帯電話３を用いて専用サーバー１と携帯電話３との間で通信が行われることで、利用者は、グループに属する他の利用者を変更したり、新たなグループを設定したりすることができるようにされている。
【００１９】
携帯電話３は、基地局５及び電話回線（外部ネットワーク４）を介して音声通話を実現する電話機能を備えた周知の携帯電話であり、この携帯電話３は、この図２（ｂ）に示すように、アンテナ３ｇ、通信回路３ａ、ＣＰＵ３ｂ、ＲＡＭ３ｃ、ＲＯＭ３ｄ、Ｉ／Ｆ（インターフェイス）３ｅ、ディスプレイ３ｆ、及びメモリ３ｈ（本実施形態では、ＥＥＰＲＯＭ）等を有して構成されている。
【００２０】
メモリ３ｈは、電力の供給が遮断されてもデータを記憶（保持）することが可能な不揮発性記憶手段であり、このメモリ３ｈには、この携帯電話３の所持者（利用者）の個人情報に加えて、他の携帯電話３の所持者（利用者）の名前、電話番号及びメールアドレス等の連絡先データが記憶（登録）されている。
【００２１】
２．個人情報管理システムの特徴的作動（図１参照）
本実施形態では、携帯電話３と専用サーバー１との間で通信が行われることにより、専用サーバー１と通信を行った携帯電話３を所持する利用者の個人情報（本実施形態では、メールアドレスや電話番号）が変更（更新）される。
【００２２】
そして、利用者の個人情報を更新するための通信が携帯電話３と専用サーバー１との間で行われる際には、まず、個人情報を更新するための更新指令、及び更新用の個人情報等が携帯電話３から専用サーバー１に送信される。
【００２３】
また、更新指令及び個人情報を受信した専用サーバー１は、更新指令を送信した携帯電話３の個人情報を更新し、更新指令を送信した携帯電話３の利用者が属するグループの全ての携帯電話３に対して、更新指令を送信した携帯電話３の利用者の個人情報を更新した内容（更新結果）を通知する。
【００２４】
２．１．専用サーバー１の特徴的作動
図３は、専用サーバー１のＣＰＵ１ｂが実行する制御フローを示すフローチャートであり、この制御フローは、携帯電話３と専用サーバー１との間で通信が成立した時に起動される。
【００２５】
そして、図３に示す制御フローが起動されると、まず通信回路１ａが更新指令及び更新用の個人情報を携帯電話３から受信したか否かが判定され（Ｓ１００）、通信回路１ａが更新指令及び更新用の個人情報を受信していないと判定された場合には（Ｓ１００：ＮＯ）、本制御フローが終了する。
【００２６】
一方、通信回路１ａが更新指令及び更新用の個人情報を受信したと判定された場合には（Ｓ１００：ＹＥＳ）、ＨＤＤ１ｅに登録された個人情報のうち、更新指令を送信した携帯電話３の利用者の個人情報が、通信回路１ａで受信された更新用の個人情報に変更（更新）される（Ｓ１１０）。
【００２７】
そして、ＨＤＤ１ｅに登録された個人情報が更新されると（Ｓ１１０）、更新指令を送信した携帯電話３に対して、個人情報の更新が完了した旨をその利用者本人に通知するための更新完了情報が送信される（Ｓ１２０）。
【００２８】
続いて、更新指令を送信した携帯電話３が属するグループの携帯電話３のうち、更新指令を送信した携帯電話３を除く他の携帯電話３に対して、Ｓ１１０の処理での更新結果、すなわち通信回路１ａで受信された更新用の個人情報が送信され（Ｓ１３０）、本制御フローが終了する。
【００２９】
２．２．携帯電話３の特徴的作動
図４（ａ）は、携帯電話３のＣＰＵ３ｂが実行する制御フローを示すフローチャートであり、この制御フローは、専用サーバー１から送信された更新完了情報が、携帯電話３の通信回路３ａで受信された時に起動される。
【００３０】
そして、図４（ａ）に示す制御フローが起動されると、この携帯電話３を所持する利用者本人の個人情報の更新が完了したことを表す画像がディスプレイに表示され（Ｓ２１０）、本制御フローが終了する。
【００３１】
次に、図４（ｂ）は、Ｓ１３０の処理（図３参照）で専用サーバー１から送信された更新結果が携帯電話３の通信回路３ａで受信された時に、携帯電話３のＣＰＵ３ｂが実行する制御フローを示すフローチャートである。
【００３２】
そして、図４（ｂ）に示す制御フローが起動されると、まずＳ１３０の処理（図３参照）で専用サーバー１から送信された更新結果がディスプレイ３ｆに表示されるとともに、Ｓ１３０の処理で専用サーバー１から送信された更新結果をメモリ３ｈに登録（更新）するか否かを利用者に選択させるための画像がディスプレイ３ｆに表示される（Ｓ２２０）。
【００３３】
そして、Ｓ１３０の処理で専用サーバー１から送信された更新結果をメモリ３ｈに登録することを表す登録指令が、携帯電話３の操作部（図示省略）を介して入力されたか否かが判定され（Ｓ２３０）、登録指令が入力されていないと判定された場合には（Ｓ２３０：ＮＯ）、本制御フローが終了する。
【００３４】
一方、登録指令が入力されたと判定された場合には（Ｓ２３０：ＹＥＳ）、メモリ３ｈに登録された連絡先データのうち、更新指令を送信した携帯電話３の利用者の個人情報（メールアドレス又は電話番号）が、Ｓ１３０の処理で専用サーバー１から送信された更新結果の内容に変更（更新）され（Ｓ２４０）、本制御フローが終了する。
【００３５】
３．本実施形態に係る個人情報管理システムの特徴
本実施形態では、更新指令を送信した携帯電話３の利用者が属するグループの携帯電話３のうち他の携帯電話３に対して、更新指令を送信した携帯電話３の利用者の個人情報が更新された内容が通知されるので、他の携帯電話３の利用者は、専用サーバー１にアクセスして専用サーバー１に登録された個人情報をいちいち閲覧しなくても、更新指令を送信した携帯電話３の利用者の個人情報が更新されたことを知ることができる。
【００３６】
したがって、本実施形態の個人情報管理システムによれば、特許文献１に記載の発明よりも利便性を向上させることができる。
また、本実施形態では、個人情報の更新が行われた際に、その個人情報が更新された携帯電話３の利用者が属するグループのうち他の携帯電話３に対しては、その個人情報の更新結果が送信（通知）され、その他の携帯電話３では、登録指令が入力されると自動的に更新結果が登録される。
【００３７】
このため、上記他の携帯電話３の利用者は、更新結果の登録操作を特に実行しなくてもよいので、個人情報管理システムの使い勝手を向上させることができる。
４．発明特定事項と実施形態との対応関係
本実施形態では、ＨＤＤ１ｅが特許請求の範囲に記載された個人情報記憶手段に相当し、Ｓ１１０の処理が特許請求の範囲に記載された個人情報更新手段に相当し、Ｓ１３０の処理が特許請求の範囲に記載された更新結果通知手段に相当し、Ｓ２４０の処理が特許請求の範囲に記載された更新結果記憶手段に相当する。
【００３８】
（その他の実施形態）
上記実施形態では、個人情報が更新された場合に（図３に示すＳ１１０）、その個人情報の利用者が所持する携帯電話３が属するグループのうち他の携帯電話３に対して、専用サーバー１が更新結果を送信するようにしていたが、これに限らず、個人情報が更新された際には、更新用の個人情報を送信した携帯電話３で、更新結果を送信する携帯電話３を設定し、その送信先として設定した携帯電話３に対して、更新用の個人情報を送信した携帯電話３が更新結果を送信するようにしてもよい。
【００３９】
また、携帯電話３が更新指令及び更新用の個人情報を送信する際に、更新結果を通知すべき送信先を、更新指令及び更新用の個人情報とともに専用サーバー１に送信するようにしてもよい。この場合、専用サーバー１は、更新指令を送信した携帯電話３の利用者が属するグループの携帯電話３のうち他の携帯電話３ではなく、更新指令を送信した携帯電話３により設定された送信先に対して、更新結果を送信するとよい。
【００４０】
また、上記実施形態では、個人情報が更新された場合に（図３に示すＳ１１０）、他の携帯電話３で登録指令が入力されなければ（図４（ｂ）に示すＳ２３０でＹＥＳ）、すなわち利用者が連絡先データ更新の許可操作を行わなければ、連絡先データが更新結果の内容に更新されなかったが、これに限らず、他の携帯電話３で登録指令が入力されなくても、自動的に連絡先データが更新結果の内容に更新されるようにしてもよい。
【００４１】
また、上記実施形態では、更新結果の送信先として設定された携帯電話３には、個人情報の更新結果の内容が専用サーバー１から通知されるようにしていたが（図４（ｂ）に示すＳ２２０）、これに限らず、更新結果の送信先として設定された携帯電話３には、個人情報の更新が完了した旨が専用サーバー１から通知されてもよい。
【００４２】
また、上記実施形態では、特許請求の範囲に記載された端末装置が携帯電話３に相当していたが、これに限らず、端末装置としては、家庭や会社などに設置されるパソコンであってもよい。
【００４３】
また、本発明は、特許請求の範囲に記載された発明の趣旨に合致するものであればよく、上述の実施形態に限定されるものではない。
【図面の簡単な説明】
【００４４】
【図１】本発明に係る個人情報管理システムの概略構成を示す概略構成図である。
【図２】専用サーバー及び携帯電話の構成を示す構成図である。
【図３】専用サーバーのＣＰＵが実行する制御フローを示すフローチャートである。
【図４】携帯電話のＣＰＵが実行する制御フローを示すフローチャートである。
【符号の説明】
【００４５】
１…専用サーバー、１ａ…通信回路、１ｂ…ＣＰＵ、１ｃ…ＲＡＭ、１ｄ…ＲＯＭ、１ｅ…ＨＤＤ、３…携帯電話、３ａ…通信回路、３ｂ…ＣＰＵ、３ｃ…ＲＡＭ、３ｄ…ＲＯＭ、３ｅ…Ｉ／Ｆ、３ｆ…ディスプレイ、３ｇ…アンテナ、３ｈ…メモリ、４…外部ネットワーク、５…基地局。
【図１】
2008097564.tif 000003
【図２】
2008097564.tif 000004
【図３】
2008097564.tif 000005
【図４】
2008097564.tif 000006